(57)【要約】【課題】非常に簡易な回路構成でありながら、歪補償をすることができるポストディストーションリニアライザを提供する。【解決手段】リニアライザ１は、メインアンプＡＭＰの後段に接続され、メインアンプＡＭＰからの歪信号をともなう出力信号を分配する分配器１１と、分配された出力信号をそれぞれ伝送する第１経路１３及び第２経路１４と、第１経路１３及び第２経路１４の信号を合成する合成器１２と、を備える。そして、合成器１２にて、第１経路１３及び第２経路１４の信号の歪信号のみが逆位相で合成されるように、第１経路１３及び第２経路１４の経路長が設定されている。歪信号のみが逆位相で合成されるので、合成器１２からは歪信号のみが除去された信号が出力される。【選択図】図１
2006237671.tif 000002
【特許請求の範囲】
【請求項１】
被補償素子であるメインアンプの後段に接続されるリニアライザであって、
前記メインアンプからの歪信号をともなう出力信号を分配する分配器と、
分配された前記出力信号をそれぞれ伝送する第１経路及び第２経路と、
前記第１経路及び前記第２経路の信号を合成する合成器と、
を備え、
前記合成器にて、前記第１経路及び前記第２経路の信号の歪信号のみが逆位相で合成されるように、前記第１経路及び前記第２経路の経路長を設定した、
ことを特徴とするポストディストーションリニアライザ。
【請求項２】
請求項１記載のポストディストーションリニアライザにおいて、
前記第１経路及び前記第２経路に減衰器を用いることなく歪補償条件を満足するように、前記分配器の分配比を設定した、
ことを特徴とするポストディストーションリニアライザ。
【請求項３】
被補償素子である電気光変換素子の後段に接続されるリニアライザであって、
前記電気光変換素子からの歪信号をともなう出力信号を分配する分配器と、
分配された前記出力信号をそれぞれ伝送する光ファイバケーブルで構成された第１経路及び第２経路と、
前記第１経路及び前記第２経路の信号を合成する合成器と、を備え、
前記合成器にて、前記第１経路及び前記第２経路の信号の歪信号のみが逆位相で合成されるように、前記第１経路及び前記第２経路の経路長を設定して、この合成器からの光信号を光電気変換素子に与える、
ことを特徴とするポストディストーションリニアライザ。
【発明の詳細な説明】
【技術分野】
【０００１】
本発明は、被補償素子の後段に接続されて歪補償を行うポストディストーションリニアライザに関し、特に、位相回転式のポストディストーションリニアライザに関する。
【背景技術】
【０００２】
図５は、従来のリニアライザの構成を示す回路図である。図５において、ブランチライン（９０°ハイブリット）４０、歪発生アンプ４１、減衰器４２、減衰器４３、歪発生アンプ４４、分配器４５、分配器４６、ブランチライン４７、ブランチライン４８、ブランチライン４９、及び減衰器５０はプリディストリーションタイプのリニアライザを構成し、その出力が被補償アンプであるメインアンプＡＭＰに入力される。
【０００３】
基本的な作用を説明すると、ブランチライン４０は、入力された信号（ＲＦ信号）をメインルート（歪ライン）と、９０°位相シフトしてサブルート（線形ライン）に分岐する。メインルートの信号は、歪発生アンプ４１により所定の利得で増幅される。増幅された信号には、歪信号が含まれる。そして、この信号は、減衰器４２により例えば減衰量ａ分、減衰され分配器４５を介してブランチライン４７に出力される。
【０００４】
一方、サブルートの信号は、減衰器４３により例えば減衰量ａ分、減衰される。減衰器４２及び減衰器４３で減衰する減衰量は等しい。そして、減衰器４３の出力信号は、歪発生アンプ４４により歪発生アンプ４１の利得と同利得で増幅される。このように、メインルートの歪信号は、歪発生アンプ４１により増幅された後に減衰器４２で減衰されるため減衰量が小さく、サブルートの信号は、減衰器４３で減衰された後に歪発生アンプ４４で増幅されるため減衰量が大きい。図５に示す回路は、この減衰量の差を用いて歪信号のみを取り出す回路である。歪発生アンプ４４により増幅された信号は、分配器４６によりブランチライン４７とブランチライン４８とに分配される。
【０００５】
ブランチライン４７は、サブルートから入力された信号を９０°位相シフトして、メインルートから入力された信号と合成する。メインルートから入力された信号及びサブルートから入力された信号は、等経路で逆位相で合成されるため、キャリア信号が相殺され歪信号のみを含む信号となる。この信号は、ブランチライン４９に出力される。
【０００６】
一方、ブランチライン４８は、サブルートから入力された信号をブランチライン４９に出力する。ブランチライン４９は、メインルートから入力された信号と、サブルートから入力された信号とを合成し、９０°位相シフトして出力する。ブランチライン４９の出力信号は、減衰器４１により例えば減衰量ｂ分、減衰される。これにより、メインアンプＡＭＰに発生する歪信号と逆位相の歪信号を含んだ入力信号が生成され、メインアンプＡＭＰに与えられる。したがって、メインアンプＡＭＰからは、歪信号が除去された信号が出力される。
【０００７】
なお、上記メインルート及びサブルートは等経路であり、上述のようにメインアンプＡＭＰに発生する歪信号と逆位相の歪信号を含んだ入力信号を生成する回路構成を等経路プリディストリーションリニアライザともよぶ。
【０００８】
上記構成のリニアライザは、下記の非特許文献１にも示されている。
【非特許文献１】スエマツノリハル、外３名（N.Suematsu, et al.），「アプリディストーションタイプイクイパスリニアライザーインクーバンド」（A Predistortion Type Equi-Path Linearizer in Ku-Band）,アジアパシフィックマイクロウェーブコンファレンスプロシーディング（APMC），トウキョウ，1990年 pp.1077-1080
【発明の開示】
【発明が解決しようとする課題】
【０００９】
ところが、上述のような従来のリニアライザは、メインアンプＡＭＰの歪補償のために、多くの回路素子が必要となるため、回路規模が大きくなるという問題があった。また、最適な歪補償のために、各減衰器４２、４３、５０の減衰量ａ、ｂの調整も非常に複雑であるという問題もあった。更に、各減衰器により挿入損失が発生するという問題もあった。
【００１０】
よって本発明は、上述した現状に鑑み、非常に簡易な回路構成でありながら、歪補償をすることができるポストディストーションリニアライザを提供することを課題としている。また、本発明は、非常に簡易な回路構成でありながら、挿入損失を低減させ且つ歪補償をすることができるポストディストーションリニアライザを提供することを課題としている。
【課題を解決するための手段】
【００１１】
上記課題を解決するためになされた請求項１記載のポストディストーションリニアライザは、被補償素子であるメインアンプの後段に接続されるリニアライザであって、前記メインアンプからの歪信号をともなう出力信号を分配する分配器と、分配された前記出力信号をそれぞれ伝送する第１経路及び第２経路と、前記第１経路及び前記第２経路の信号を合成する合成器と、を備え、前記合成器にて、前記第１経路及び前記第２経路の信号の歪信号のみが逆位相で合成されるように、前記第１経路及び前記第２経路の経路長を設定した、ことを特徴とする。
【００１２】
請求項１記載の発明によれば、本リニアライザはメインアンプの後段に接続され、メインアンプからの歪信号をともなう出力信号を分配する分配器と、分配された出力信号をそれぞれ伝送する第１経路及び第２経路と、第１経路及び第２経路の信号を合成する合成器と、を備える。そして、合成器にて、第１経路及び第２経路の信号の歪信号のみが逆位相で合成されるように、第１経路及び第２経路の経路長が設定されている。歪信号のみが逆位相で合成されるので、合成器からは歪信号のみが除去された信号が出力される。
【００１３】
上記課題を解決するためになされた請求項２記載のポストディストーションリニアライザは、請求項１記載のポストディストーションリニアライザにおいて、前記第１経路及び前記第２経路に減衰器を用いることなく歪補償条件を満足するように、前記分配器の分配比を設定した、ことを特徴とする。
【００１４】
請求項２記載の発明によれば、第１経路及び第２経路に減衰器を用いることなく歪補償条件を満足するように、分配器の分配比を設定したので、より簡易な回路構成でありながら、メインアンプの歪補償をすることができる。
【００１５】
上記課題を解決するためになされた請求項３記載のポストディストーションリニアライザは、被補償素子である電気光変換素子の後段に接続されるリニアライザであって、前記電気光変換素子からの歪信号をともなう出力信号を分配する分配器と、分配された前記出力信号をそれぞれ伝送する光ファイバケーブルで構成された第１経路及び第２経路と、前記第１経路及び前記第２経路の信号を合成する合成器と、を備え、前記合成器にて、前記第１経路及び前記第２経路の信号の歪信号のみが逆位相で合成されるように、前記第１経路及び前記第２経路の経路長を設定して、この合成器からの光信号を光電気変換素子に与える、ことを特徴とする。
【００１６】
請求項３記載の発明によれば、本リニアライザは電気光変換素子の後段に接続され、電気光変換素子からの歪信号をともなう出力信号を分配する分配器と、分配された出力信号をそれぞれ伝送する第１経路及び第２経路と、第１経路及び第２経路の信号を合成する合成器と、を備える。そして、合成器にて、第１経路及び第２経路の信号の歪信号のみが逆位相で合成されるように、第１経路及び第２経路の経路長が設定されている。歪信号のみが逆位相で合成されるので、合成器からは歪信号のみが除去された信号が出力される。特に、第１経路及び第２経路は光ファイバケーブルで構成されているので、回路全体の挿入損失を大きく低減させることができる。
【発明の効果】
【００１７】
請求項１記載の発明によれば、本リニアライザはメインアンプの後段に接続され、メインアンプからの歪信号をともなう出力信号を分配する分配器と、分配された出力信号をそれぞれ伝送する第１経路及び第２経路と、第１経路及び第２経路の信号を合成する合成器と、を備える。そして、合成器にて、第１経路及び第２経路の信号の歪信号のみが逆位相で合成されるように、第１経路及び第２経路の経路長が設定されている。歪信号のみが逆位相で合成されるので、合成器からは歪信号のみが除去された信号が出力される。したがって、非常に簡易な回路構成でありながら、メインアンプの歪補償をすることができる。
【００１８】
請求項２記載の発明によれば、第１経路及び第２経路に減衰器を用いることなく歪補償条件を満足するように、分配器の分配比を設定したので、より簡易な回路構成でありながら、メインアンプの歪補償をすることができる。また、回路全体の挿入損失も低減させることができる。
【００１９】
請求項３記載の発明によれば、本リニアライザは電気光変換素子の後段に接続され、電気光変換素子からの歪信号をともなう出力信号を分配する分配器と、分配された出力信号をそれぞれ伝送する第１経路及び第２経路と、第１経路及び第２経路の信号を合成する合成器と、を備える。そして、合成器にて、第１経路及び第２経路の信号の歪信号のみが逆位相で合成されるように、第１経路及び第２経路の経路長が設定されている。歪信号のみが逆位相で合成されるので、合成器からは歪信号のみが除去された信号が出力される。特に、第１経路及び第２経路は光ファイバケーブルで構成されているので、回路全体の挿入損失を大きく低減させることができる。したがって、非常に簡易な回路構成でありながら、挿入損失を大きく低減させつつ、電気光変換素子の歪補償をすることができる。
【００２０】
請求項４記載の発明によれば、２トーン信号の周波数間隔に応じて、第１経路及び第２経路の経路長を歪信号のみが逆位相で合成されるように設定したので、近年の普及しつつある通信方式にも対応可能となる。したがって、本リニアライザの適用範囲を拡張することができる。
【発明を実施するための最良の形態】
【００２１】
以下、本発明の実施の形態を図面に基づいて説明する。
【００２２】
[第１実施形態]
図１は、本発明の第１実施形態のポストディストーションリニアライザに係る構成を示す回路図である。図１に示すように、被補償素子であるメインアンプＡＭＰの後段には、このアンプＡＭＰを歪補償するための、位相回転式リニアライザ１（請求項１のポストディストーションリニアライザに対応）が接続されている。詳しくは、リニアライザ１は、メインアンプＡＭＰからの歪信号をともなう出力信号を等分配する分配器１１と、分配された出力信号をそれぞれ伝送する第１経路１３及び第２経路１４と、第１経路１３及び第２経路１４の信号を合成する合成器１２と、を備えて構成されている。更に、リニアライザ１は、第１経路１３と第２経路１４の信号のレベル合わせするために、第１経路１３に挿入された減衰器１５を備えている。
【００２３】
このような構成において、メインアンプＡＭＰには、増幅すべきＲＦ信号が入力される。このＲＦ信号は、例えば、所定の周波数間隔Δｆを有する２信号である２トーン信号とする。２トーン信号とは、例えば、近年、ＣＤＭＡ（Code Division Multiple Access）通信等に用いられる２種の周波数のキャリアから構成される。但し、ＲＦ信号は、シングルキャリアであってもよいし、２トーン以上のマルチキャリアであってもよいし、或いは、キャリアでなくてもよい。
【００２４】
２トーン信号の２つの信号のうちで低い方の信号の周波数Ｃａｒｒｉｅｒ・ｌｏｗｅｒをｆ[ＭＨｚ]、周波数間隔をΔｆ[ＭＨｚ]とする。そうすると、高い方の信号の周波数Ｃａｒｒｉｅｒ・ｕｐｐｅｒはｆ＋Δｆ[ＭＨｚ]となる。
【００２５】
この場合、第１経路１３及び第２経路１４のうちで長い方の第２経路１４の経路長Ｌ２を、
Ｌ２＝Δλ＝３００／Δｆ…（式１）
にすると、
周波数間隔がΔｆ[ＭＨｚ]の信号の位相差はそれぞれ３６０゜、すなわち、すべて同位相となる。
【００２６】
したがって、（式１）の１／３の量、すなわち、
Ｌ２＝Δλ／３＝１００／Δｆ…（式２）
に設定すると、
周波数間隔がΔｆ[ＭＨｚ]の信号の位相差はそれぞれ１２０゜となる。
【００２７】
このことを数式で示すと、
第２経路１４を伝送されてきた信号が合成器１２に入力される際の各周波数成分の位相はそれぞれ下記のようになる。
ＩＭＤ３・ｌｏｗｅｒ・２＝（ｆ−Δｆ）／３００×３６０×Ｌ２
＝１２０ｆ／Δｆ−１２０゜…（式３）
Ｃａｒｒｉｅｒ・ｌｏｗｅｒ・２＝（ｆ）／３００×３６０×Ｌ２
＝１２０ｆ／Δｆ…（式４）
Ｃａｒｒｉｅｒ・ｕｐｐｅｒ・２＝（ｆ＋Δｆ）／３００×３６０×Ｌ２
＝１２０ｆ／Δｆ＋１２０゜…（式５）
ＩＭＤ３・ｕｐｐｅｒ・２＝（ｆ＋２Δｆ）／３００×３６０×Ｌ２
＝１２０ｆ／Δｆ＋２４０
＝１２０ｆ／Δｆ−１２０゜…（式６）
【００２８】
なお、上記Ｃａｒｒｉｅｒ・ｌｏｗｅｒ・２及びＩＭＤ３・ｌｏｗｅｒ・２はそれぞれ、第２経路１４の低い方の信号のキャリア信号及び３次歪信号を示し、Ｃａｒｒｉｅｒ・ｕｐｐｅｒ・２及びＩＭＤ３・ｕｐｐｅｒ・２はそれぞれ、第２経路１４の高い方の信号のキャリア信号及び３次歪信号を示す。
【００２９】
（式３）〜（式６）より、２つ信号の３次歪信号は同位相で、キャリア信号は１２０゜の位相差をもつことがわかる。
【００３０】
一方、短い方の第１経路１３の経路長Ｌ１を、
Ｌ１＝１２０ｆ／Δｆ−１２０＋１８０゜
＝３００／ｆ／Ｌ１×３６０゜…（式７）
と設定すると、
第１経路１３を伝送されてきた信号が合成器１２に入力される際の各周波数成分の位相はそれぞれ下記のようになる。
ＩＭＤ３・ｌｏｗｅｒ・１＝（ｆ−Δｆ）／３００×３６０×３００／（３６０ｆ）（１２０ｆ／Δｆ＋６０）
＝（１−Δｆ／ｆ）（１２０ｆ／Δｆ＋６０）゜
≒１２０ｆ／Δｆ＋６０゜…（式８）
Ｃａｒｒｉｅｒ・ｌｏｗｅｒ・１＝（１２０ｆ／Δｆ＋６０）゜…（式９）
Ｃａｒｒｉｅｒ・ｕｐｐｅｒ・１＝（１＋Δｆ／ｆ）（１２０ｆ／Δｆ＋６０）゜
≒１２０ｆ／Δｆ＋６０゜…（式１０）
ＩＭＤ３・ｕｐｐｅｒ・１＝（１＋２Δｆ／ｆ）（１２０ｆ／Δｆ＋６０）゜
≒１２０ｆ／Δｆ＋６０゜…（式１１）
【００３１】
なお、上記Ｃａｒｒｉｅｒ・ｌｏｗｅｒ・１及びＩＭＤ３・ｌｏｗｅｒ・１はそれぞれ、第１経路１３の低い方の信号のキャリア信号及び３次歪信号を示し、Ｃａｒｒｉｅｒ・ｕｐｐｅｒ・１及びＩＭＤ３・ｕｐｐｅｒ・１はそれぞれ、第１経路１３の高い信号のキャリア信号及び３次歪信号を示す。
【００３２】
（式８）〜（式１１）において、ｆ≫Δｆであれば、第２項は無視できるので、上記４つの信号は、ほぼ同位相となる。
【００３３】
ここで、（式８）〜（式１１）の第２項を無視して、（式３）〜（式６）と（式８）〜（式１１）とをそれぞれ比較すると、（式８）と（式３）、（式１１）と（式６）は、逆位相となっているので、それぞれが打ち消しあうことになる。一方、（式４）、（式５）と、（式９）、（式１０）との位相差は６０゜であるので、強めあうことになる。したがって、２つの信号のキャリア信号はほとんど減衰することなく、歪信号のみが減衰される。
【００３４】
図１において、Ｓ１〜Ｓ６は上記位相成分を１２０ｆ／Δｆ＝３０゜とした場合の各点における信号をベクトル表示したものである。図２は、ｆ＝２０００ＭＨｚ、Δｆ＝１００ＭＨｚとした場合の測定結果を示すグラフである。
【００３５】
補足すると、図１及び図２において、ＩＭＤ・１９００、ＣＲＲ・２０００、ＣＲＲ・２１００、ＩＭＤ・２２００はリニアライザ１に入力される各信号に対応し、ＬＩＮ・ＩＭＤ・１９００、ＬＩＮ・ＣＲＲ・２０００、ＬＩＮ・ＣＲＲ・２１００、ＬＩＮ・ＩＭＤ・２２００はリニアライザ１から出力される各信号に対応する。詳しくは、２トーン信号においてｆ＝２０００ＭＨｚ、Δｆ＝１００ＭＨｚとした場合、ＩＭＤ・１９００及びＣＲＲ・２０００は低い方の信号の歪信号及びキャリア信号をそれぞれ示し、ＣＲＲ・２１００及びＩＭＤ・２２００は高い方の信号のキャリア信号及び歪信号を示す。
【００３６】
位相成分を１２０ｆ／Δｆ＝３０゜とした場合、歪成分は逆位相となり、キャリア成分は６０゜の位相差を持つ。したがって、合成器１２にて、２つの信号の歪信号は打ち消しあうが、キャリア成分は、理想的には１＋１＝２となるべきところが、ベクトル合成によりｓｑｒｔ（３）となってしまう。このロスをｄＢ表示すると、２０ｌｏｇ（ｓｑｒｔ（３）／２）＝−１．２ｄＢとなる。これと、第１経路１３と第２経路１４における減衰量を考慮して、レベル合わせする減衰器１５の減衰量が、このリニアライザ１の挿入損失となる。
【００３７】
なお、上記無視した（式８）〜（式１１）の第２項を計算すると、ｆ＝２０００ＭＨｚ、Δｆ＝１００ＭＨｚとした場合、周波数間隔のずれはおよそ３゜程度である。
【００３８】
図３に示すように、本リニアライザ１により、１０ｄＢ以上の歪補償が達成され、この歪補償量と比較して、キャリアの減衰量はわずかなものであることがわかる。このような結果から、ｆ／Δｆ＞２０位の範囲であれば、十分実用的なリニアライザとして動作するものと考えられる。
【００３９】
このように、第１実施形態のリニアライザ１によると、合成器１２にて、第１経路１３及び第２経路１４の信号の歪信号のみが逆位相で合成されるように、第１経路１３及び第２経路１４の経路長が設定されている。歪信号のみが逆位相で合成されるので、合成器１２からは歪信号のみが除去された信号が出力される。したがって、非常に簡易な回路構成でありながら、メインアンプＡＭＰの歪補償をすることができる。
【００４０】
[第２実施形態]
図３は、本発明の第２実施形態のポストディストーションリニアライザに係る構成を示す回路図である。第２実施形態では、第１実施形態の等分配型の分配器１１及び合成器１２に替えて、異分配型の分配器２１及び合成器２２を用いることにより、減衰器を不要とするものである。すなわち、図３に示すように、メインアンプＡＭＰの後段に接続される位相回転式リニアライザ２（請求項２のポストディストーションリニアライザに対応）は、メインアンプＡＭＰからの歪信号をともなう出力信号を１：ｎ（ｎは自然数）に異分配する分配器２１と、分配された出力信号をそれぞれ伝送する第１経路２３及び第２経路２４と、第１経路２３及び第２経路２４の信号を合成する分配器２１の分配比に対応する合成器２２と、を備えて構成されている。
【００４１】
このような構成において、歪補償に係る基本的な作用は第１実施形態と同様であるので、同様の部分の重複説明は省略する。異なるのは、第１実施形態では、等分配されたことによる第１経路と第２経路における減衰量の差を考慮してレベル合わせするための減衰器１５が用いられていたのに対し、第２実施形態では、異分配する分配器２１によりレベル合わせしている点である。
【００４２】
例えば、第２経路の挿入損失が１２ｄＢであり、第１経路の挿入損失が０ｄＢであるとする。この場合、第１実施形態では、第１経路に１２ｄＢの減衰器を挿入することによりレベル合わせしたため、回路全体の挿入損失は１２ｄＢとなっていた。
【００４３】
これに対して、図３に示す第２実施形態のリニアライザ２によると、例えば、１：４の分配比の分配器２１及びこの分配比に対応する合成器２２を用いる。この場合、各信号が、分配器２１及び合成器２２を１回通過する毎に、第１経路２３及び第２経路２４の電力比は１／４（つまり６ｄＢ）となるので、減衰器を用いることなく歪補償条件を満足するようにレベル合わせすることができる。
【００４４】
なお、第２実施形態のリニアライザ２は、第２経路２４での減衰量が大きい程効果的である。すなわち、上記（式２）からもわかるように、Δｆが小さい場合により有利となる。
【００４５】
このように、第２実施形態のリニアライザ２によると、分配器２１で歪補償条件を満足するように分配することにより、減衰器が不要となる。したがって、より簡易な回路構成でありながら、メインアンプＡＭＰの歪補償をすることができる。また、回路全体の挿入損失も低減させることができる。
【００４６】
[第３実施形態]
図４は、本発明の第３実施形態のポストディストーションリニアライザに係る構成を示す回路図である。第１実施形態及び第２実施形態では、高周波回路アンプ（メインアンプＡＭＰ）の歪補償を行うリニアライザを示したが、第３実施形態では、光伝送装置（Ｒａｄｉｏ  ｏｎ  Ｆｉｂｅｒ）の電気光変換素子であるレーザダイオードの歪補償を行うリニアライザを示す。この第３実施形態は、光信号に変換して歪補償を行うことにより、挿入損失を更に低減させるものである。
【００４７】
このために、第３実施形態のリニアライザ３（請求項３のポストディストーションリニアライザに対応）は、図４に示すように、レーザダイオードＬＤの後段に接続されて、レーザダイオードＬＤからの歪信号をともなう出力信号を分配する分配器３１と、分配された出力信号をそれぞれ伝送する第１経路３３及び第２経路３４と、第１経路３３及び第２経路３４の信号を合成する合成器３２と、を備えて構成されている。なお、分配器３１及び合成器３２は、光信号に対応するものである。このリニアライザ３の後段には、光信号を電気信号に変換する光電気変換素子であるフォトダイオードＰＤが接続されている。なお、図４中、２重線はＲＦ信号部、実線は光信号部を示している。
【００４８】
このような構成において、レーザダイオードＬＤに入力された電気信号であるＲＦ信号は、レーザダイオードＬＤにて光信号に変換されると共に増幅されるが、その際に歪信号も発生される。これ以降の歪補償に係る基本的な作用は第１実施形態と同様であるので、同様の部分の重複説明は省略する。そして、歪補償された光信号は、フォトダイオードＰＤによって電気信号であるＲＦ信号に戻される。
【００４９】
上記（式２）によりΔｆが小さい場合に、長い方の第２経路の減衰量が大きくなり、これにともない回路全体の挿入損失が増大する点が、第１実施形態のリニアライザの改善点であった。そして、第２実施形態では、異分配器を用いることにより、回路全体の挿入損失を低減させた。しかしながら、第２実施形態のリニアライザでも、回路全体の挿入損失を第２経路の減衰量以下にすることはできず、この点が更なる改善点であった。
【００５０】
そこで、第３実施形態のリニアライザ３では、第１経路及び第２経路を光ファイバケーブルにすることにより、回路全体の挿入損失を更に低減可能になる。例えば、図１のリニアライザ１において、同軸ケーブルを用いて第２経路１４を形成し、２ＧＨｚ帯の信号を伝送させた場合、その減衰量はおよそ１ｄＢ／ｍであるので、第２経路１４の長さＬ２が２０ｍとすると、第２経路１４での減衰量は２０ｄＢになってしまう。一方、第３実施形態のリニアライザ３のように、光ファイバケーブルを用いて第２経路３４を形成し、２ＧＨｚ帯の信号を伝送させた場合、その減衰量はおよそ０．３ｄＢ／ｋｍであるので、第２経路３４の長さＬ２が２０ｍとすると、第２経路３４での減衰量は６Ｅ−３ｄＢ程度になり、ほとんど無視できる。
【００５１】
なお、第３実施形態のリニアライザ３は、第２経路３４での減衰量が大きい程効果的である。すなわち、上記（式２）からもわかるように、Δｆが小さい場合により有利となる。
【００５２】
このように、第３実施形態のリニアライザ３によると、合成器３２にて、第１経路３３及び第２経路３４の信号の歪信号のみが逆位相で合成されるように、第１経路３３及び第２経路３４の経路長が設定されている。歪信号のみが逆位相で合成されるので、合成器３２からは歪信号のみが除去された信号が出力される。したがって、非常に簡易な回路構成でありながら、レーザダイオードＬＤの歪補償をすることができる。特に、第３実施形態のリニアライザ３では、第１経路３３及び第２経路３４は光ファイバケーブルで構成されているので、回路全体の挿入損失を大きく低減させることができる。したがって、非常に簡易な回路構成でありながら、挿入損失を大きく低減させつつ、レーザダイオードＬＤの歪補償をすることができる。
【００５３】
以上のように、本発明によれば、非常に簡易な回路構成でありながら、歪補償をすることができるポストディストーションリニアライザを提供することができる。また、本発明によれば、非常に簡易な回路構成でありながら、挿入損失を低減させ且つ歪補償をすることができるポストディストーションリニアライザを提供することができる。
【図面の簡単な説明】
【００５４】
【図１】本発明の第１実施形態のポストディストーションリニアライザに係る構成を示す回路図である。
【図２】図１のリニアライザにおいて、ｆ＝２０００ＭＨｚ、Δｆ＝１００ＭＨｚとした場合の測定結果を示すグラフである。
【図３】本発明の第２実施形態のポストディストーションリニアライザに係る構成を示す回路図である。
【図４】本発明の第３実施形態のポストディストーションリニアライザに係る構成を示す回路図である。
【図５】従来のリニアライザの構成を示す回路図である。
【符号の説明】
【００５５】
１、２、３  位相回転式リニアライザ
１１、２１、３１  分配器
１２、２２、３２  合成器
１３、２３、３３  第１経路
１４、２４、３４  第２経路
１５  減衰器
ＡＭＰ  メインアンプ
ＬＤ  レーザダイオード
ＰＤ  フォトダイオード
【図１】
2006237671.tif 000003
【図２】
2006237671.tif 000004
【図３】
2006237671.tif 000005
【図４】
2006237671.tif 000006
【図５】
2006237671.tif 000007